(57)【要約】【課題】  製造が容易な露光装置を提供することである。【解決手段】  露光装置２１は、光学素子３１３〜３１５が形成された第１レンズアレイ部３１１および第２レンズアレイ部３２１と、第１レンズアレイ部３２１は光軸と垂直でない形成面に光学素子３１３〜３１５が形成されており、第１レンズアレイ部３１１および第２レンズアレイ部３２１を保持する第１レンズアレイホルダ３３１および第２レンズアレイホルダ３３５と、複数の発光素子２１０が光軸と平行な方向において異なる位置に配置された光源アセンブリ２００と、を備え、第１レンズアレイ部３１１は第２レンズアレイ部３２１と対向する面に第１レンズアレイホルダ３３１が当接する第１座面３１６と第２レンズアレイホルダ３３５が当接する第２座面３１７とが設けられ、第１座面３１６と第２座面３１７とは光軸と垂直である。【選択図】        図４
2020183062.tif 000002
【特許請求の範囲】
【請求項１】
それぞれの光軸が平行となるように複数の光学素子が形成面に形成された第１レンズアレイ部および第２レンズアレイ部と、
前記第１レンズアレイ部の前記形成面は前記光軸と垂直でなく、
複数の前記光学素子それぞれの前記光軸が平行な状態で前記第１レンズアレイ部および前記第２レンズアレイ部を保持する第１レンズアレイホルダおよび第２レンズアレイホルダと、
前記光軸と垂直な方向に配列された複数の発光素子からなる光学素子群が前記光軸と平行な方向において異なる位置に配置された光源アセンブリと、を備え、
前記第１レンズアレイ部は前記第２レンズアレイ部と対向する面に前記第１レンズアレイホルダが当接する第１座面と前記第２レンズアレイホルダが当接する第２座面とが設けられ、
前記第１座面と前記第２座面とは前記光軸と垂直である、露光装置。
【請求項２】
前記第１レンズアレイホルダは、前記第１座面に当接する第１当接部と前記第１座面と当接することなく接着される第１接着部を有し、
前記第２レンズアレイホルダは、前記第２座面に当接する第２当接部と前記第２座面と当接することなく接着される第２接着部とを有する、請求項１に記載の露光装置。
【請求項３】
前記第１レンズアレイ部は、前記第１座面が設けられた面と反対の面に前記光軸と垂直な第１押圧面と前記第２座面が設けられた面と反対の面に前記光軸と垂直な第２押圧面とが設けられる、請求項１または２に記載の露光装置。
【請求項４】
前記第１座面および前記第２座面は、複数の前記光学素子と同じ材料で形成される、請求項１〜３のいずれかに記載の露光装置。
【請求項５】
前記第１レンズアレイホルダは前記第１座面および前記第２レンズアレイ部に当接し、
前記第２レンズアレイホルダは前記第２座面および前記第２レンズアレイ部に当接する、請求項１〜４のいずれかに記載の露光装置。
【請求項６】
前記第２レンズアレイ部の前記形成面は前記光軸と垂直でなくかつ前記第２レンズアレイ部は前記第１レンズアレイ部と対向する面に前記第１レンズアレイホルダが当接する第３座面と前記第２レンズアレイホルダが当接する第４座面とが設けられ、
前記第１座面と前記第４座面とは前記光軸と垂直である、請求項１〜４のいずれかに記載の露光装置。
【請求項７】
前記第１レンズアレイホルダは前記第３座面に当接する第３当接部と前記第３座面と当接することなく接着される第３接着部を有し、
前記第２レンズアレイホルダは前記第４座面に当接する第４当接部と前記第４座面と当接することなく接着剤で接着される第４接着部とを有する、請求項６に記載の露光装置。
【請求項８】
前記第３座面および前記第４座面は複数の前記光学素子と同じ材料で形成される、請求項６または７に記載の露光装置。
【請求項９】
前記第２レンズアレイ部は前記第３座面が設けられた面と反対の面に前記光軸と垂直な第３押圧面と前記第４座面が設けられた面と反対の面に前記光軸と垂直な第４押圧面とが設けられる、請求項６〜８のいずれかに記載の露光装置。
【請求項１０】
前記光源アセンブリは前記光軸と垂直な第１ホルダ座面および第２ホルダ座面が設けられ、
前記第１レンズアレイホルダは前記第１ホルダ座面にさらに当接し、
前記第２レンズアレイホルダは前記第２ホルダ座面にさらに当接する、請求項１〜９のいずれかに記載の露光装置。
【請求項１１】
前記第１レンズアレイホルダは前記第１ホルダ座面に当接する第１ホルダ当接部と前記第１ホルダ座面と当接することなく接着される第１ホルダ接着部をさらに有し、
前記第２レンズアレイホルダは前記第２ホルダ座面に当接する第２ホルダ当接部と前記第２ホルダ座面と当接することなく接着される第２ホルダ接着部をさらに有する、請求項１０に記載の露光装置。
【請求項１２】
前記第２レンズアレイ部および前記光源アセンブリを保持する第１接続ホルダおよび第２接続ホルダをさらに備え、
前記第１接続ホルダは前記第３押圧面および前記光源アセンブリに当接し、
前記第２接続ホルダは前記第４押圧面および前記光源アセンブリに当接する、請求項９に記載の露光装置。
【請求項１３】
前記第１接続ホルダは前記第３押圧面に当接する第１接続ホルダ当接部と前記第３押圧面と当接することなく接着される第１接続ホルダ接着部を有し、
前記第２接続ホルダは前記第４押圧面に当接する第２接続ホルダ当接部と前記第４押圧面と当接することなく接着される第２接続ホルダ接着部とを有する、請求項１２に記載の露光装置。
【請求項１４】
前記光源アセンブリは前記光軸に垂直な第１光源側座面および第２光源側座面が設けられ、
前記第１接続ホルダは前記第１光源側座面に当接する第３接続ホルダ当接部と前記第１光源側座面と当接することなく接着される第３接続ホルダ接着部をさらに有し、
前記第２接続ホルダは前記第２光源側座面に当接する第４接続ホルダ当接部と前記第２光源側座面と当接することなく接着される第４接続ホルダ接着部をさらに有する、請求項１２または１３に記載の露光装置。
【請求項１５】
前記光源アセンブリは光源面に複数の前記発光素子が形成された光源基板を含み、前記光源基板は前記光源面が前記光軸と垂直にならない状態で保持される、請求項１〜１４のいずれかに記載の露光装置。
【請求項１６】
前記第１レンズアレイ部および前記第２レンズアレイ部が前記第１レンズアレイホルダおよび前記第２レンズアレイホルダと接着されることにより光学アセンブリが構成される、請求項１〜１５のいずれかに記載の露光装置。
【請求項１７】
前記第１レンズアレイ部および前記第２レンズアレイ部は、前記第２レンズアレイ部に形成された複数の前記光学素子それぞれを通過した光が前記第１レンズアレイ部に形成された複数の前記光学素子のいずれかを通過するように前記第１レンズアレイホルダおよび前記第２レンズアレイホルダにより位置決めされる、請求項１〜１６のいずれかに記載の露光装置。
【請求項１８】
請求項１〜１７のいずれかに記載の露光装置を備えた、画像形成装置。
【発明の詳細な説明】
【技術分野】
【０００１】
この発明は、露光装置および画像形成装置に関し、特に、主走査方向に沿って複数の光源が配列された露光装置、および、その露光装置を備えた画像形成装置に関する。
【背景技術】
【０００２】
近年、ＯＬＥＤ（Ｏｒｇａｎｉｃ  Ｌｉｇｈｔ−Ｅｍｉｔｔｉｎｇ  Ｄｉｏｄｅ）を光源として使用したラインヘッドが知られている。このラインヘッドは、複数の光源から照射された光を、光学アセンブリを介して像担持体としての感光体ドラムに照射する。これにより、ラインヘッドによって感光体ドラムに静電潜像が形成される。
【０００３】
このラインヘッドが有する光学アセンブリの組み立て方法として、例えば、特開２０１１−６４８４８号公報には、第１のレンズおよび前記第１のレンズの光軸と平行な方向に直交または略直交する第１の平坦面を有する第１のレンズアレイの前記第１の平坦面と、支持部材の第１の研磨面とを接着剤で接合し、前記支持部材の前記第１の研磨面に平行に対向する第２の研磨面と、第２のレンズおよび前記第２のレンズの光軸と平行な方向に直交または略直交する第２の平坦面を有する第２のレンズアレイの前記第２の平坦面とを接着剤で接合することを特徴とする光学アセンブリの組み立て方法が記載されている。
【０００４】
近年は、画像の高精細化の要求からラインヘッドの発光点数を増加させる要求があるが、発光点数が増加すると光源が形成される光源基板のサイズが大きくなる。一方、ラインヘッドは感光体ドラムの直近に配置されるために副走査方向のサイズを上限値以下にする要求がある。これら２つの要求を満たすために、主走査方向に配列された複数の光源が形成された光源基板の複数を副走査方向にずらして積層することが考えられる。この場合、複数の光源基板を積層することにより複数の光源基板ごとに光路長が異なるので、第１のレンズと第２のレンズとの間の距離を複数の光源基板それぞれに対応する距離に調整する必要がある。具体的には、第１のレンズアレイと第２のレンズアレイとを光軸と平行な方向に対して傾けて配置する必要がある。
【０００５】
しかしながら、光源と第１のレンズアレイおよび第２のレンズアレイとの相対位置を調整するために第１のレンズアレイおよび第２のレンズアレイのいずれかを光軸と垂直な方向に移動させると、第１のレンズアレイと第２のレンズアレイとが支持部材との接触面に沿って移動するので、第１のレンズアレイと第２のレンズアレイとの光軸と平行な方向の位置が変化する。このため、光源と第１のレンズアレイおよび第２のレンズアレイとの相対位置を調整する作業が困難であるといった問題がある。
【先行技術文献】
【特許文献】
【０００６】
【特許文献１】特開２０１１−６４８４８号公報
【発明の概要】
【発明が解決しようとする課題】
【０００７】
上述した問題点を解決するために、この発明の目的の一つは、製造が容易な露光装置を提供することである。
【０００８】
この発明の他の目的は、製造が容易な露光装置を備えた画像形成装置を提供することである。
【課題を解決するための手段】
【０００９】
上述した目的を達成するために、この発明のある局面によれば、露光装置は、それぞれの光軸が平行となるように複数の光学素子が形成面に形成された第１レンズアレイ部および第２レンズアレイ部と、第１レンズアレイ部の形成面は光軸と垂直でなく、複数の光学素子それぞれの光軸が平行な状態で第１レンズアレイ部および第２レンズアレイ部を保持する第１レンズアレイホルダおよび第２レンズアレイホルダと、光軸と垂直な方向に配列された複数の発光素子からなる光学素子群が光軸と平行な方向において異なる位置に配置された光源アセンブリと、を備え、第１レンズアレイ部は第２レンズアレイ部と対向する面に第１レンズアレイホルダが当接する第１座面と第２レンズアレイホルダが当接する第２座面とが設けられ、第１座面と第２座面とは光軸と垂直である。
【００１０】
この局面に従えば、第１レンズアレイ部が光軸と垂直でない形成面に複数の光学素子が形成されているので、第１レンズアレイ部に形成される複数の光学素子と第２レンズアレイ部に形成された複数の光学素子とで構成される複数の光学系において、２つの光学素子間の距離が異なる複数の光学系を構成することができる。このため、複数の光学系の焦点距離が異なるので、光軸と平行な方向において異なる位置に配置された複数の発光素子から照射される光を適切な位置で集光させることができる。また、第１レンズアレイホルダが第１レンズアレイ部の第２レンズアレイ部と対向する面に設けられた第１座面に当接し、第２レンズアレイホルダが第１レンズアレイ部の第２レンズアレイ部と対向する面に設けられた第２座面に当接し、かつ、第１座面および第２座面は光軸に垂直なので、第１レンズアレイ部が第２レンズアレイ部に対して光軸と垂直な面で相対的な位置が変化しても複数の光学系それぞれの２つの光学素子間の光軸と平行な方向の距離が変化しない。このため、第１レンズアレイ部および第２レンズアレイ部の光軸と垂直な方向の位置合わせが容易となる。その結果、製造が容易な露光装置を提供することができる。
【００１１】
好ましくは、第１レンズアレイホルダは、第１座面に当接する第１当接部と第１座面と当接することなく接着される第１接着部を有し、第２レンズアレイホルダは、第２座面に当接する第２当接部と第２座面と当接することなく接着される第２接着部とを有する。
【００１２】
この局面に従えば、第１レンズアレイホルダは、第１当接部が第１座面に当接し、第１座面に当接しない第１接着部で第１座面と接着され、第２レンズアレイホルダは、第２当接部が第２座面に当接し、第２座面に当接しない第２接着部で第２座面と接着される。このため、第１接着部と第１座面との間および第２接着部と第２座面との間が所定の距離だけ離れるので、接着剤の弾性変形量を大きくすることができる。その結果、第１レンズアレイホルダおよび第２レンズアレイホルダの線膨張係数と第１レンズアレイ部の線膨張係数とが異なる場合であっても、第１レンズアレイホルダおよび第２レンズアレイホルダと第１レンズアレイ部との間の接着が解消されにくくできる。
【００１３】
好ましくは、第１レンズアレイ部は、第１座面が設けられた面と反対の面に光軸と垂直な第１押圧面と第２座面が設けられた面と反対の面に光軸と垂直な第２押圧面とが設けられる。
【００１４】
この局面に従えば、第１押圧面と第２押圧面とが光軸と垂直なので、第１レンズアレイ部に光軸と平行な力を付与することができる。
【００１５】
好ましくは、第１座面および第２座面は、複数の光学素子と同じ材料で形成される。
【００１６】
この局面に従えば、第１座面、第２座面および複数の光学素子を１つの工程で形成できるので、光軸に対する第１座面および第２座面の角度を精度よく形成することができる。
【００１７】
好ましくは、第１レンズアレイホルダは第１座面および第２レンズアレイ部に当接し、第２レンズアレイホルダは第２座面および第２レンズアレイ部に当接する。
【００１８】
この局面に従えば、第２レンズアレイに対する第１レンズアレイホルダおよび第２レンズアレイホルダの相対位置が定まるので、第１レンズアレイと第２レンズアレイの相対位置を容易に合わせることができる。
【００１９】
好ましくは、第２レンズアレイ部の形成面は光軸と垂直でなくかつ第２レンズアレイ部は第１レンズアレイ部と対向する面に第１レンズアレイホルダが当接する第３座面と第２レンズアレイホルダが当接する第４座面とが設けられ、第１座面と第４座面とは光軸と垂直である。
【００２０】
この局面に従えば、第１レンズアレイホルダが第２レンズアレイ部の第１レンズアレイ部と対向する面に設けられた第３座面に当接し、第２レンズアレイホルダが第２レンズアレイ部の第１レンズアレイ部と対向する面に設けられた第４座面に当接し、かつ、第３座面および第４座面は光軸に垂直なので、第２レンズアレイ部が第１レンズアレイ部に対して光軸と垂直な方向に相対的な位置が変化しても複数の光学系それぞれの２つの光学素子間の光軸と平行な方向の距離が変化しない。このため、第１レンズアレイ部および第２レンズアレイ部の光軸と垂直な方向の位置合わせが容易となる。
【００２１】
好ましくは、第１レンズアレイホルダは第３座面に当接する第３当接部と第３座面と当接することなく接着される第３接着部を有し、第２レンズアレイホルダは第４座面に当接する第４当接部と第４座面と当接することなく接着剤で接着される第４接着部とを有する。
【００２２】
この局面に従えば、第１レンズアレイホルダは第３当接部が第３座面に当接し、第３座面に当接しない第３接着部で第３座面と接着され、第２レンズアレイホルダは、第４当接部が第４座面に当接し、第４座面に当接しない第４接着部で第２座面と接着される。このため、第３接着部と第３座面との間および第４接着部と第４座面との間が所定の距離だけ離れるので、接着剤の弾性変形量を大きくすることができる。その結果、第１レンズアレイホルダおよび第２レンズアレイホルダの線膨張係数と第２レンズアレイ部の線膨張係数とが異なる場合であっても、第１レンズアレイホルダおよび第２レンズアレイホルダと第２レンズアレイ部との間の接着が解消されにくくできる。
【００２３】
好ましくは、第３座面および第４座面は複数の光学素子と同じ材料で形成される。
【００２４】
この局面に従えば、第３座面、第４座面および複数の光学素子を１つの工程で形成できるので、光軸に対する第３座面および第４座面の角度を精度よく形成することができる。
【００２５】
好ましくは、第２レンズアレイ部は第３座面が設けられた面と反対の面に光軸と垂直な第３押圧面と第４座面が設けられた面と反対の面に光軸と垂直な第４押圧面とが設けられる。
【００２６】
この局面に従えば、第３押圧面と第４押圧面とが光軸と垂直なので、第２レンズアレイ部に光軸と平行な力を付与することができる。
【００２７】
好ましくは、光源アセンブリは光軸と垂直な第１ホルダ座面および第２ホルダ座面が設けられ、第１レンズアレイホルダは第１ホルダ座面にさらに当接し、第２レンズアレイホルダは第２ホルダ座面にさらに当接する。
【００２８】
この局面に従えば、第１光源ホルダが光源アセンブリに設けられた第１ホルダ座面に当接し、第２光源ホルダが光源アセンブリに設けられた第２ホルダ座面に当接し、かつ、第１ホルダ座面および第２ホルダ座面は光軸に垂直なので、第２レンズアレイ部が光軸と垂直な面で光源アセンブリに対する相対的な位置が変化しても第２レンズアレイ部に形成された複数の光学素子と光源アセンブリに含まれる複数の光源素子との光軸と平行な方向の距離が変化しない。このため、第２レンズアレイホルダおよび光源ホルダの光軸と垂直な方向の位置合わせが容易となる。
【００２９】
好ましくは、第１レンズアレイホルダは第１ホルダ座面に当接する第１ホルダ当接部と第１ホルダ座面と当接することなく接着される第１ホルダ接着部をさらに有し、第２レンズアレイホルダは第２ホルダ座面に当接する第２ホルダ当接部と第２ホルダ座面と当接することなく接着される第２ホルダ接着部をさらに有する。
【００３０】
この局面に従えば、第１レンズアレイホルダは、第１ホルダ当接部が第１ホルダ座面に当接し、第１ホルダ座面に当接しない第１ホルダ接着部で第１ホルダ座面と接着され、第２レンズアレイホルダは、第２ホルダ当接部が第２ホルダ座面に当接し、第２ホルダ座面に当接しない第４ホルダ接着部で第２ホルダ座面と接着される。このため、第１ホルダ接着部と第１ホルダ座面との間および第２ホルダ接着部と第２ホルダ座面との間が所定の距離だけ離れるので、接着剤の弾性変形量を大きくすることができる。その結果、第１レンズアレイホルダおよび第２レンズアレイホルダの線膨張係数と光源アセンブリの線膨張係数とが異なる場合であっても、第１レンズアレイホルダおよび第２レンズアレイホルダと光源アセンブリとの間の接着が解消されにくくできる。
【００３１】
好ましくは、第２レンズアレイ部および光源アセンブリを保持する第１接続ホルダおよび第２接続ホルダをさらに備え、第１接続ホルダは第３押圧面および光源アセンブリに当接し、第２接続ホルダは第４押圧面および光源アセンブリに当接する。
【００３２】
この局面に従えば、第１接続ホルダが第３押圧面に当接し、第２接続ホルダが第４押圧面に当接し、かつ、第３押圧面および第４押圧面は光軸に垂直なので、第２レンズアレイ部が光源アセンブリに対して光軸と垂直な面で相対的な位置が変化しても第２レンズアレイ部と光源アセンブリ間の光軸と平行な方向の距離が変化しない。このため、第２レンズアレイ部および光源アセンブリの光軸と垂直な方向の位置合わせが容易となる。
【００３３】
好ましくは、第１接続ホルダは第３押圧面に当接する第１接続ホルダ当接部と第３押圧面と当接することなく接着される第１接続ホルダ接着部を有し、第２接続ホルダは第４押圧面に当接する第２接続ホルダ当接部と第４押圧面と当接することなく接着される第２接続ホルダ接着部とを有する。
【００３４】
この局面に従えば、第１接続ホルダは、第１接続ホルダ当接部が第３押圧面に当接しかつ第３押圧面に当接しない第１接続ホルダ接着部で第３押圧面と接着され、第２接続ホルダは、第２接続ホルダ当接部が第４押圧面に当接しかつ第４押圧面に当接しない第２接続ホルダ接着部で第４押圧面と接着される。このため、第１接続ホルダ接着部と第３押圧面との間および第２接続ホルダ接着部と第４押圧面との間が所定の距離だけ離れるので、接着剤の弾性変形量を大きくすることができる。その結果、第１接続ホルダおよび第２接続ホルダの線膨張係数と第２レンズアレイ部の線膨張係数とが異なる場合であっても、第１接続ホルダおよび第２接続ホルダと第２レンズアレイ部との間の接着が解消されにくくできる。
【００３５】
好ましくは、光源アセンブリは光軸に垂直な第１光源側座面および第２光源側座面が設けられ、第１接続ホルダは第１光源側座面に当接する第３接続ホルダ当接部と第１光源側座面と当接することなく接着される第３接続ホルダ接着部をさらに有し、第２接続ホルダは第２光源側座面に当接する第４接続ホルダ当接部と第２光源側座面と当接することなく接着される第４接続ホルダ接着部をさらに有する。
【００３６】
この局面に従えば、第１接続ホルダは、第３接続ホルダ当接部が第１光源側座面に当接しかつ第１光源側座面に当接しない第３接続ホルダ接着部で第１光源側座面と接着され、第２接続ホルダは第４接続ホルダ当接部が第２光源側座面に当接しかつ第２光源側座面に当接しない第４接続ホルダ接着部で第２光源側座面と接着される。このため、第３接続ホルダ接着部と第１光源側座面との間および第４接続ホルダ接着部と第２光源側座面との間が所定の距離だけ離れるので、接着剤の弾性変形量を大きくすることができる。その結果、第１接続ホルダおよび第２接続ホルダの線膨張係数と光源アセンブリの線膨張係数とが異なる場合であっても、第１接続ホルダおよび第２接続ホルダと光源アセンブリとの間の接着が解消されにくくできる。
【００３７】
好ましくは、光源アセンブリは光源面に複数の発光素子が形成された光源基板を含み、光源基板は光源面が光軸と垂直にならない状態で保持される。
【００３８】
この局面に従えば、光軸と平行な方向において異なる位置に複数の光源素子を配置することができる。
【００３９】
好ましくは、第１レンズアレイ部および第２レンズアレイ部が第１レンズアレイホルダおよび第２レンズアレイホルダと接着されることにより光学アセンブリが構成される。
【００４０】
好ましくは、第１レンズアレイ部および第２レンズアレイ部は、第２レンズアレイ部に形成された複数の光学素子それぞれを通過した光が第１レンズアレイ部に形成された複数の光学素子のいずれかを通過するように第１レンズアレイホルダおよび第２レンズアレイホルダにより位置決めされる。
【００４１】
この発明の他の局面によれば、画像形成装置は、上記の露光装置を備える。
【００４２】
この局面に従えば、製造が容易な画像形成装置を提供することができる。
【図面の簡単な説明】
【００４３】
【図１】本発明の実施の形態の１つにおけるＭＦＰの外観を示す斜視図である。
【図２】ＭＦＰの内部構成を示す模式的断面図である。
【図３】露光装置の内部構成の一例を示す斜視図である。
【図４】露光装置の内部を主走査方向から見た図である。
【図５】図４のＡ−Ａ線断面図である。
【図６】図４のＢ−Ｂ線断面図である。
【図７】製造途中における光学アセンブリの一部を主走査方向から見た図である。
【図８】図７の領域Ｒの断面図である。
【図９】第１の変形例における露光装置の内部を主走査方向から見た図である。
【図１０】図９のＡ−Ａ線断面図である。
【図１１】図９のＢ−Ｂ線断面図である。
【図１２】第２の変形例における露光装置を主走査方向から見た図である。
【図１３】図１２のＡ−Ａ線断面図である。
【図１４】図１２のＢ−Ｂ線断面図である。
【図１５】製造途中における第２の変形例における露光装置を主走査方向から見た図である。
【図１６】第３の変形例における露光装置の一部を主走査方向から見た図である。
【発明を実施するための形態】
【００４４】
以下、本発明の実施の形態について図面を参照して説明する。以下の説明では同一の部品には同一の符号を付してある。それらの名称および機能も同じである。したがって、それらについての詳細な説明は繰返さない。
【００４５】
図１は、本発明の実施の形態の１つにおけるＭＦＰの外観を示す斜視図である。図２は、ＭＦＰの内部構成を示す模式的断面図である。図１および図２を参照して、ＭＦＰ（Ｍｕｌｔｉ  Ｆｕｎｃｔｉｏｎ  Ｐｅｒｉｐｈｅｒａｌ）１００は、画像形成装置の一例であり、原稿を読み取るための原稿読取部１３０と、原稿を原稿読取部１３０に搬送するための自動原稿搬送装置１２０と、画像データに基づいて用紙に画像を形成するための画像形成部１４０と、画像形成部１４０に用紙を供給するための給紙部１５０と、ユーザーインターフェースとしての操作パネル１６０とを含む。
【００４６】
自動原稿搬送装置１２０は、原稿トレイ１２５に載置された１以上の原稿をさばいて、１枚ずつ原稿読取部１３０に搬送する。原稿読取部１３０は、自動原稿搬送装置１２０により原稿ガラス１１上にセットされた原稿の画像を、その下方を移動するスライダー１２に取付けられた露光ランプ１３で露光する。原稿からの反射光は、ミラー１４と２枚の反射ミラー１５，１５Ａによりレンズ１６に導かれ、ＣＣＤ（Ｃｈａｒｇｅ  Ｃｏｕｐｌｅｄ  Ｄｅｖｉｃｅｓ）センサー１８に結像する。露光ランプ１３とミラー１４とは、スライダー１２に取付けられており、スライダー１２は、スキャナモーター１７により、図２中に示す矢印方向（副走査方向）へ複写倍率に応じた速度Ｖで移動する。これにより、原稿ガラス１１上にセットされた原稿を全面にわたって走査することができる。また、露光ランプ１３とミラー１４の移動に伴い、２枚の反射ミラー１５，１５Ａは、速度Ｖ／２で図２中矢印方向へ移動する。これにより、露光ランプ１３で原稿に照射された光が、原稿で反射してからＣＣＤセンサー１８に結像するまでの光路長が常に一定となる。
【００４７】
ＣＣＤセンサー１８に結像した反射光は、ＣＣＤセンサー１８内で電気信号としての画像データに変換され、メイン回路１１０に送られる。メイン回路１１０は、受取ったアナログの画像データにＡ／Ｄ変換処理、デジタル画像処理等を行なった後、画像形成部１４０に出力する。メイン回路１１０は、画像データを、シアン（Ｃ）、マゼンタ（Ｍ）、イエロー（Ｙ）、ブラック（Ｋ）の印字用データに変換し、画像形成部１４０へ出力する。
【００４８】
画像形成部１４０は、イエロー、マゼンタ、シアンおよびブラックそれぞれの画像形成ユニット２０Ｙ，２０Ｍ，２０Ｃ，２０Ｋを備える。ここで、“Ｙ”、“Ｍ”、“Ｃ”および“Ｋ”は、それぞれイエロー、マゼンタ、シアンおよびブラックを表す。画像形成ユニット２０Ｙ，２０Ｍ，２０Ｃ，２０Ｋの少なくとも１つが駆動されることにより、画像が形成される。画像形成ユニット２０Ｙ，２０Ｍ，２０Ｃ，２０Ｋのすべてが駆動されると、フルカラーの画像を形成する。画像形成ユニット２０Ｙ，２０Ｍ，２０Ｃ，２０Ｋには、イエロー、マゼンタ、シアンおよびブラックの印字用データがそれぞれ入力される。画像形成ユニット２０Ｙ，２０Ｍ，２０Ｃ，２０Ｋは、取扱うトナーの色彩が異なるのみなので、ここでは、イエローの画像を形成するための画像形成ユニット２０Ｙについて説明する。
【００４９】
画像形成ユニット２０Ｙは、イエローの印字用データが入力される露光装置２１Ｙと、露光装置２１Ｙの像担持体である感光体ドラム２３Ｙと、帯電チャージャ２２Ｙと、現像器２４Ｙと、転写チャージャ２５Ｙと、トナーボトル４１Ｙと、を備える。トナーボトル４１Ｙは、イエローのトナーを収納する。
【００５０】
露光装置２１Ｙは、メイン回路１１０から受取った印字用データ（電気信号）に応じて発光し、被写体である感光体ドラム２３Ｙを露光する。感光体ドラム２３Ｙは、円柱形状であり、回転対象軸を中心に回転する。ここでは、回転対象軸を副走査方向に平行としている。感光体ドラム２３Ｙは、帯電チャージャ２２Ｙによって帯電された後、露光装置２１Ｙが発光するレーザー光が照射される。これにより、感光体ドラム２３Ｙに静電潜像が形成される。続いて、現像器２４Ｙが、トナーボトル４１Ｙから供給されたトナーを静電潜像上に載せることによりトナー像が形成される。感光体ドラム２３Ｙ上に形成されたトナー像は、中間転写ベルト３０上に、転写チャージャ２５Ｙにより転写される。
【００５１】
一方、中間転写ベルト３０は、駆動ローラー３３Ｃとローラー３３Ａとにより弛まないように懸架されている。駆動ローラー３３Ｃが図２中で反時計回りに回転すると、中間転写ベルト３０が所定の速度で図中反時計回りに回転する。中間転写ベルト３０の回転に伴って、ローラー３３Ａが、反時計回りに回転する。
【００５２】
これにより、画像形成ユニット２０Ｙ，２０Ｍ，２０Ｃ，２０Ｋが、順に中間転写ベルト３０上にトナー像を転写する。画像形成ユニット２０Ｙ，２０Ｍ，２０Ｃ，２０Ｋそれぞれが、中間転写ベルト３０上にトナー像を転写するタイミングは、中間転写ベルト３０に付された基準マークを検出することにより、調整される。これにより、イエロー、マゼンタ、シアンおよびブラックのトナー像が中間転写ベルト３０上に重畳される。
【００５３】
中間転写ベルト３０に形成されたトナー像は、転写ローラー２６によって用紙に転写される。トナー像が転写された用紙は、定着ローラー対３２に搬送され、定着ローラー対３２により加熱される。これにより、トナーが溶かされて用紙に定着する。その後、用紙は排紙トレイ１５９に排出される。
【００５４】
中間転写ベルト３０の画像形成ユニット２０Ｙの上流に、除去装置２８が設けられている。除去装置２８は、中間転写ベルト３０に残存するトナーを除去する。
【００５５】
給紙カセット３５Ａ，３５Ｂには、それぞれサイズの異なる用紙がセットされている。給紙カセット３５Ａ，３５Ｂそれぞれに収納された用紙は、給紙カセット３５Ａ，３５Ｂにそれぞれ取付けられている取出ローラー３６，３６Ａ，３６Ｂにより、搬送経路へ供給され、給紙ローラー３７によりタイミングローラー３１へ送られる。
【００５６】
ＭＦＰ１００は、フルカラーの画像を形成する場合、画像形成ユニット２０Ｙ，２０Ｍ，２０Ｃ，２０Ｋのすべてを駆動するが、モノクロの画像を形成する場合、画像形成ユニット２０Ｙ，２０Ｍ，２０Ｃ，２０Ｋのいずれか１つを駆動する。また、画像形成ユニット２０Ｙ，２０Ｍ，２０Ｃ，２０Ｋの２以上を組み合わせて画像を形成することもできる。なお、ここでは、ＭＦＰ１００を、用紙に４色のトナーそれぞれを形成する画像形成ユニット２０Ｙ，２０Ｍ，２０Ｃ，２０Ｋを備えたタンデム方式として説明するが、ＭＦＰ１００は、１つの感光体ドラムで４色のトナーを順に用紙に転写する４サイクル方式であってもよい。
【００５７】
次に、露光装置２１Ｙ，２１Ｍ，２１Ｃ，２１Ｋについて説明する。露光装置２１Ｙ，２１Ｍ，２１Ｃ，２１Ｋそれぞれの構成はすべて同じなので、ここでは、露光装置２１Ｙを例に説明する。
【００５８】
図３は、露光装置の内部構成の一例を示す斜視図である。図３を参照して、露光装置２１Ｙは、光源アセンブリ２００と、光学アセンブリ３００と、を含む。光源アセンブリ２００は、第１光源基板２０１、第２光源基板２０２および第３光源基板２０３を含む。第１光源基板２０１、第２光源基板２０２および第３光源基板２０３それぞれは、主走査方向に配列された複数の光源２１０が形成されている。第１光源基板２０１に形成される複数の光源２１０が第１群を構成し、第２光源基板２０２に形成される複数の光源２１０が第２群を構成し、第３光源基板２０３に形成される複数の光源２１０が第３群を構成する。光学アセンブリ３００は、複数の光源２１０から照射される光を集光して感光体ドラム２３Ｙに集光させる複数の光学系３１０を含む。以下の説明では、光学アセンブリ３００の光軸と平行な方向を上下方向といい、光軸と垂直な方向を水平方向という。水平方向は、主走査方向と、主走査方向に直行する副走査方向とを含む。
【００５９】
第１光源基板２０１，第２光源基板２０２および第３光源基板２０３それぞれは、例えば、第１光源基板２０１は、複数の光源２１０を駆動するための回路が形成される回路領域２１１を含む。第１光源基板２０１、第２光源基板２０２および第３光源基板２０３は、副走査方向にずれて重なる状態で配置される。第１光源基板２０１の下側に、第２光源基板２０２が配置され、第２光源基板２０２の下側に第３光源基板２０３が配置される。
【００６０】
第１光源基板２０１の一部と第２光源基板２０２の一部とが重畳し、第２光源基板２０２の一部と第３光源基板２０３の一部とが重畳する。第２光源基板２０２の複数の光源２１０を駆動する回路が形成される回路領域は第１光源基板２０１の一部と重なるが、複数の光源２１０は第１光源基板２０１と重ならない。第３光源基板２０３の複数の光源２１０を駆動する回路が形成される回路領域は第２光源基板２０２の一部と重なるが、複数の光源２１０は第２光源基板２０２と重ならない。したがって、第１光源基板２０１、第２光源基板２０２および第３光源基板２０３にそれぞれ形成された複数の光源２１０から射出される光は、第１光源基板２０１、第２光源基板２０２および第３光源基板２０３それぞれに対向して光学アセンブリ３００に設けられた光学系３１０に向かって射出される。
【００６１】
なお、本実施の形態においては、光源アセンブリ２００が３つの第１光源基板２０１、第２光源基板２０２および第３光源基板２０３を含む場合を例に説明するが、光源基板の数を限定するものではなく、複数あればよい。
【００６２】
図４は、露光装置の内部を主走査方向から見た図である。主走査方向は、図４において紙面に垂直な方向である。図５は、図４のＡ−Ａ線断面図である。図６は、図４のＢ−Ｂ線断面図である。図５および図４においては、光源ホルダ２２０が追加される。図４〜図６を参照して、露光装置２１Ｙは、光学アセンブリ３００と光源アセンブリ２００とを含む。光学アセンブリ３００は、第１レンズアレイ部３１１と、第２レンズアレイ部３２１と、それぞれが第１レンズアレイ部３１１と第２レンズアレイ部３２１とを保持する第１レンズアレイホルダ３３１および第２レンズアレイホルダ３３５と、を含む。光源アセンブリ２００は、光源ホルダ２２０と、第１光源基板２０１と、第２光源基板２０２と、第３光源基板２０３と、を含む。第１光源基板２０１と、第２光源基板２０２と、第３光源基板２０３とは、積層されて接合されており、光源ホルダ２２０に第３光源基板２０３が位置決めされて固定される。
【００６３】
第１レンズアレイ部３１１は、ガラス基板であり、互いの光軸が平行となるように複数の第１レンズ３１３，３１４，３１５が形成される。第１レンズ３１３は、第１群に含まれる主走査方向に配列された複数の第１レンズの１つである。第１群に含まれる複数の第１レンズは、第１光源基板２０１に形成された複数の光源２１０にそれぞれ対応する。第１レンズ３１４は、第２群に含まれる主走査方向に配列された複数の第１レンズの１つである。第２群に含まれる複数の第１レンズは、第２光源基板２０２に形成された複数の光源２１０にそれぞれ対応する。第１レンズ３１５は、第３群に含まれる主走査方向に配列された複数の第１レンズの１つである。第３群に含まれる複数の第１レンズは、第３光源基板２０３に形成された複数の光源２１０にそれぞれ対応する。
【００６４】
第２レンズアレイ部３２１は、ガラス基板であり、互いの光軸が平行となるように複数の第２レンズ３２３，３２４，３２５が形成される。第２レンズ３２３は、第１群に含まれる主走査方向に配列された複数の第２レンズの１つである。第１群に含まれる複数の第２レンズは、第１光源基板２０１に形成された複数の光源２１０にそれぞれ対応する。第２レンズ３２４は、第２群に含まれる主走査方向に配列された複数の第２レンズの１つである。第２群に含まれる複数の第２レンズは、第２光源基板２０２に形成された複数の光源２１０にそれぞれ対応する。第２レンズ３２５は、第３群に含まれる主走査方向に配列された複数の第２レンズの１つである。第３群に含まれる複数の第２レンズは、第３光源基板２０３に形成された複数の光源２１０にそれぞれ対応する。
【００６５】
第１レンズアレイ部３１１および第２レンズアレイ部３２１が第１レンズアレイホルダ３３１および第２レンズアレイホルダ３３５と接着されることにより光学アセンブリ３００が構成される。第１レンズアレイ部３１１および第２レンズアレイ部３２１は、第２レンズアレイ部３２１に形成された複数の第２レンズ３２３，３２４，３２５それぞれを通過した光が第１レンズアレイ部３１１に形成された複数の第１レンズ３１３，３１４，３１５のいずれかを通過するように第１レンズアレイホルダ３３１および第２レンズアレイホルダ３３５により位置決めされる。
【００６６】
具体的には、第１レンズ３１３と第２レンズ３２３とで１つの光学系３１０を構成し、第１光源基板２０１に形成された光源２１０から射出される光を感光体ドラム２３Ｙに集光させる。第１レンズ３１４と第２レンズ３２４とで１つの光学系３１０を構成し、第２光源基板２０２に形成された光源２１０から射出される光を感光体ドラム２３Ｙに集光させる。第１レンズ３１５と第２レンズ３２５とで１つの光学系３１０を構成し、光学系３１０は、第３光源基板２０３に形成された光源２１０から射出される光を感光体ドラム２３Ｙに集光させる。
【００６７】
第１光源基板２０１、第２光源基板２０２および第３光源基板２０３は、副走査方向にずれて重なる状態で配置されるので、第１光源基板２０１に形成された光源２１０と、第２光源基板２０２に形成された光源２１０と、第３光源基板２０３に形成された光源２１０は、光軸と平行な方向にずれて配置される。このため、第１光源基板２０１に形成された光源２１０と感光体ドラム２３Ｙとの間の距離は第２光源基板２０２に形成された光源２１０と感光体ドラム２３Ｙとの間の距離より長く、第２光源基板２０２に形成された光源２１０と感光体ドラム２３Ｙとの間の距離は第３光源基板２０３に形成された光源２１０と感光体ドラム２３Ｙまでの距離より長い。
【００６８】
このため、複数の光源２１０それぞれから射出された光が感光体ドラム２３Ｙに集光するように、第１レンズアレイ部３１１に第１レンズ３１３，３１４，３１５が形成される形成面と、第２レンズアレイ部３２１に第２レンズ３２３，３２４，３２５が形成される形成面とは、それらの法線が光軸と平行でなく、かつ、互いに交わる位置に第１レンズアレイ部３１１および第２レンズアレイ部３２１が配置される。なお、第１レンズアレイ部３１１の形成面が第１レンズ３１３，３１４，３１５の光軸と垂直になるように第１レンズ３１３，３１４，３１５が形成されてもよい。この場合は、第１レンズアレイ部３１１の形成面が第１レンズ３１３，３１４，３１５の光軸と垂直になるように第１レンズアレイ部３１１が配置される。また、第２レンズアレイ部３２１の形成面が第２レンズ３２３，３２４，３２５の光軸と垂直になるように第２レンズ３２３，３２４，３２５が形成されてもよい。この場合は、第２レンズアレイ部３２１の形成面が第２レンズ３２３，３２４，３２５の光軸と垂直になるように第２レンズアレイ部３２１が配置される。ただし、第１レンズアレイ部３１１と第２レンズアレイ部３２１の少なくとも一方が、その形成面が第１レンズ３１３，３１４，３１５および第２レンズ３２３，３２４，３２５の光軸と垂直にならない。
【００６９】
第１レンズアレイ部３１１は第２レンズアレイ部３２１に対向する面に第１台座３１６および第２台座３１７が形成される。第１台座３１６と第２台座３１７とは、第１レンズアレイ部３１１の主走査方向の両端近傍に形成される。第２レンズアレイ部３２１は第１レンズアレイ部３１１に対向する面に第３台座３２６および第４台座３２７が形成される。第３台座３２６と第４台座３２７とは、第２レンズアレイ部３２１の主走査方向の両端近傍に形成される。第１台座３１６と第３台座３２６とは対向する位置に配置され、第２台座３１７と第４台座３２７とは対向する位置に配置される。
【００７０】
第１台座３１６および第２台座３１７は、第１レンズ３１３，３１４，３１５の光軸と垂直な座面を有する。第３台座３２６および第４台座３２７は、第２レンズ３２３，３２４，３２５の光軸と垂直な座面を有する。したがって、第１台座３１６の座面と第３台座３２６の座面とは対向し、第２台座３１７の座面と第４台座３２７の座面とは対向する。
【００７１】
第１台座３１６および第２台座３１７それぞれは、主走査方向に沿って３つ設けられる。なお、第１台座３１６および第２台座３１７の数は３つに限定されることなく、複数あればよい。第１台座３１６および第２台座３１７の間の領域に第１レンズ３１３，３１４，３１５が配置される。第３台座３２６および第４台座３２７それぞれは、主走査方向に沿って３つが設けられる。なお、第３台座３２６および第４台座３２７の数は３つに限定されることなく、複数あればよい。第３台座３２６および第４台座３２７の間の領域に第２レンズ３２３，３２４，３２５が配置される。
【００７２】
さらに、第１レンズアレイ部３１１は、第１台座３１６が形成される面と反対側の面において、第１台座３１６に対向する位置に第１押圧部３１８が形成され、第２台座３１７に対向する位置に第２押圧部３１９が形成される。第１押圧部３１８および第２押圧部３１９は、第１レンズ３１３，３１４，３１５の光軸と垂直な押圧面を有する。同様に、第２レンズアレイ部３２１は、第３台座３２６が形成される面と反対側の面において、第３台座３２６に対向する位置に第３押圧部３２８が形成され、第４台座３２７に対向する位置に第４押圧部３２９が形成される。第３押圧部３２８および第４押圧部３２９は、第２レンズ３２３，３２４，３２５の光軸と垂直な押圧面を有する。
【００７３】
第１レンズアレイ部３１１の材質はガラス材料であり、第１台座３１６と第１押圧部３１８との材質は樹脂材料であるため、線膨張係数が異なる。このため、熱歪を抑制するために第１台座３１６と第１押圧部３１８の高さ方向の厚みを同じにするのが好ましい。例えば、第１台座３１６と第１押圧部３１８とを点対称の形状とすればよい。同様に、第２台座３１７と第２押圧部３１９の高さ方向の厚み、第３台座３２６と第３押圧部３２８の高さ方向の厚み、および第４台座３２７と第４押圧部３２９の高さ方向の厚み、を同じにするのが好ましい。
【００７４】
第１レンズアレイ部３１１は、ガラス基板に、樹脂材料によって第１レンズ３１３，３１４，３１５と、第１台座３１６および第２台座３１７と、第１押圧部３１８および第２押圧部３１９と、が形成される。このため、第１レンズ３１３，３１４，３１５の光軸の方向と、第１台座３１６の座面、第２台座３１７の座面、第１押圧部３１８の押圧面および第２押圧部３１９の押圧面それぞれの方向を合わせる精度を高くすることができる。なお、第１台座３１６および第２台座３１７は、第１レンズ３１３，３１４，３１５とは別に生成され、第１レンズアレイ部３１１に接着して固定されても良い。第２レンズアレイ部３２１は、第１レンズアレイ部３１１と同様に、ガラス基板に、同一の樹脂材料によって第２レンズ３２３，３２４，３２５と、第３台座３２６および第４台座３２７と、第３押圧部３２８および第４押圧部３２９と、が形成されることにより生成される。
【００７５】
第１レンズアレイホルダ３３１は、直方体の本体３３２と、本体３３２の上面に配置される第１当接部３３３と、本体３３２の下面に配置される第３当接部３３４を備える。第１当接部３３３は第１レンズアレイ部３１１の第１台座３１６の座面に当接し、第３当接部３３４は第２レンズアレイ部３２１の第３台座３２６の座面に当接する。第１当接部３３３の上端と第３当接部３３４の下端との間の距離は、予め定められている。
【００７６】
本実施の形態においては、第１当接部３３３および第３当接部３３４それぞれは球体である。第１レンズアレイホルダ３３１は、本体３３２の上面に形成された穴に第１当接部３３３が嵌合され、本体３３２の底面で上面に形成された穴に対応する位置に形成された穴に第３当接部３３４が嵌合される。本体３３２の上面および底面とは、光軸と垂直である。また、本体３３２の上面のうち第１当接部３３３が配置される周辺の領域が第１接着面であり、本体３３２の底面のうち第３当接部３３４が配置される周辺の領域が第２接着面である。
【００７７】
したがって、第１当接部３３３は、第３当接部３３４が取り付けられる位置に対向する本体３３２の上面の位置に取り付けられる。このため、第１当接部３３３および第３当接部３３４それぞれの中心が第１レンズ３１３，３１４，３１５および第２レンズ３２３，３２４，３２５それぞれの光軸と平行な直線を通る位置となるように、第１レンズアレイホルダ３３１の第１レンズアレイ部３１１および第２レンズアレイ部３２１に対する相対位置を定めることができる。
【００７８】
第２レンズアレイホルダ３３５は、第１レンズアレイホルダ３３１と同様に、直方体の本体３３６と、本体３３６の上面に配置される第２当接部３３７と、本体３３６の底面に配置される第４当接部３３８を備える。本体３３６の上面および底面とは、光軸と垂直である。また、本体３３６の上面のうち第２当接部３３７が配置される周辺の領域が第２接着面であり、本体３３６の底面のうち第４当接部３３８が配置される周辺の領域が第４接着面である。第２当接部３３７は第１レンズアレイ部３１１の第２台座３１７の座面に当接し、第４当接部３３８は第２レンズアレイ部３２１の第４台座３２７の座面に当接する。第２当接部３３７の上端と第４当接部３３８の下端との間の距離は、予め定められている。
【００７９】
第１レンズアレイ部３１１に形成された第１レンズ３１３，３１４，３１５の光軸と、第２レンズアレイ部３２１に形成された第２レンズ３２３，３２４，３２５の光軸とが平行となるように、第２レンズアレイホルダ３３５の第２当接部３３７の上端と第４当接部３３８の下端との間の距離が、第１レンズアレイホルダ３３１の第１当接部３３３の上端と第３当接部３３４の下端との間の距離より短く設定される。
【００８０】
光源ホルダ２２０の上面には、第１レンズアレイホルダ３３１の本体３３２の底面と当接する一対の第１ホルダ座面２２１が形成されている。また、光源ホルダ２２０の上面には、第２レンズアレイホルダ３３５の本体３３６の底面と当接する一対のおよび第２ホルダ座面２２２が形成されている。一対の第１ホルダ座面２２１および一対の第２ホルダ座面２２２それぞれは、第１レンズ３１３，３１４，３１５および第２レンズ３２３，３２４，３２５の光軸と垂直である。また、第１レンズアレイホルダ３３１の本体３３２の底面および第２レンズアレイホルダ３３５の本体３３６の底面は、第１レンズ３１３，３１４，３１５および第２レンズ３２３，３２４，３２５の光軸と垂直である。
【００８１】
このため、一対の第１ホルダ座面２２１に第１レンズアレイホルダ３３１の本体３３２が当接しかつ一対の第２ホルダ座面２２２に第２レンズアレイホルダ３３５の本体３３６が当接した状態で、第２レンズアレイ部３２１に形成された第２レンズ３２３，３２４，３２５と複数の光源２１０との光軸に平行な方向の距離は一定となる。このため、第２レンズアレイ部３２１に形成された第２レンズ３２３，３２４，３２５と複数の光源２１０との光軸に平行な方向の位置を合わせる作業が不要であるとともに、光軸に垂直な方向の相対位置を合わせる作業が容易となる。光源ホルダ２２０と第１レンズアレイホルダ３３１の本体３３２および光源ホルダ２２０と第２レンズアレイホルダ３３５の本体３３６とは接着剤で接着されてもよい。
【００８２】
図７は、製造途中における光学アセンブリの一部を主走査方向から見た図である。図７を参照して、治具ばね３６１，３６２の組と治具ばね３６３，３６４の組とで、光学アセンブリ３００が上下方向から挟むように固定される。接着固定時の位置ずれを低減するために、治具ばね３６１，３６２の組による加圧方向は第１押圧部３１８の押圧面および第３押圧部３２８の押圧面と垂直になるように設定され、治具ばね３６３，３６４の組による加圧方向は第２押圧部３１９の押圧面および第４押圧部３２９の押圧面と垂直になるように設定される。
【００８３】
光学アセンブリ３００の製造において、第１レンズアレイ部３１１および第２レンズアレイ部３２１を第１レンズアレイホルダ３３１および第２レンズアレイホルダ３３５に接着固定する前は、第１レンズアレイ部３１１および第２レンズアレイ部３２１それぞれの自重や加工誤差による反り等によって、第１レンズアレイホルダ３３１および第２レンズアレイホルダ３３５からの浮きが発生してしまう。第１台座３１６、第２台座３１７、第３台座３２６および第４台座３２７を、第１当接部３３３、第２当接部３３７、第３当接部３３４および第４当接部３３８と接触させるために、光学アセンブリ３００が治具ばね３６１，３６２の組と治具ばね３６３，３６４の組で加圧される。この際、治具ばね３６１，３６２の組と治具ばね３６３，３６４の組で第１レンズアレイ部３１１および第２レンズアレイ部３２１を直接加圧してしまうと加圧方向が第１台座３１６、第２台座３１７、第３台座３２６、第４台座３２７それぞれの座面に対して垂直にならないとともに、第１レンズアレイ部３１１および第２レンズアレイ部３２１の位置を調整する際に、治具バネの加圧力が変化してしまうため、第１レンズアレイ部３１１および第２レンズアレイ部３２１に歪が発生する場合がある。このため、第１レンズアレイ部３１１に第１押圧部３１８および第２押圧部３１９を設け、第２レンズアレイ部３２１に第３押圧部３２８および第４押圧部３２９を設けている。
【００８４】
第１レンズアレイホルダ３３１の本体３３２の上面の第１接着部、本体３３２の底面の第３接着部と、第２レンズアレイホルダ３３５の本体３３６の上面の第２接着部および本体３３６の底面の第４接着部にそれぞれ接着剤３３３Ａ，３３４Ａ，３３７Ａ，３３８Ａが塗布される。その後、第１レンズアレイ部３１１、第２レンズアレイ部３２１、第１レンズアレイホルダ３３１および第２レンズアレイホルダ３３５が位置決めされる。具体的には、第１レンズアレイホルダ３３１が、第１当接部３３３の中心と第３当接部３３４の中心とが第１レンズ３１３，３１４，３１５および第２レンズ３２３，３２４，３２５の光軸と平行な直前上に配置されるように位置決めされる。同様に、第２レンズアレイホルダ３３５が、第２当接部３３７の中心と第４当接部３３８の中心とが第１レンズ３１３，３１４，３１５および第２レンズ３２３，３２４，３２５の光軸と平行な直前上に配置されるように位置決めされる。
【００８５】
第１レンズアレイ部３１１の第１押圧部３１８および第２押圧部３１９にそれぞれ治具ばね３６１，３６３が当接し、下方に力が付与される。また、第２レンズアレイ部３２１の第３押圧部３２８および第４押圧部３２９にそれぞれ治具ばね３６２，３６４が当接し、上方に力が付与される。
【００８６】
この状態で、第１レンズアレイ部３１１は、第１押圧部３１８および第２押圧部３１９から下方に力を受けるとともに、第１レンズアレイホルダ３３１および第２レンズアレイホルダ３３５それぞれから上方に力を受ける。また、第２レンズアレイ部３２１は、第３押圧部３２８および第４押圧部３２９から上方に力を受け、第１レンズアレイホルダ３３１および第２レンズアレイホルダ３３５それぞれから上方に力を受ける。このため、第１レンズアレイ部３１１および第２レンズアレイ部３２１は水平方向の力を受けない。
【００８７】
また、第１レンズアレイ部３１１または第２レンズアレイ部３２１を水平方向に移動させても第１群の光学系における第１レンズ３１３と第２レンズ３２３との間の距離、第２群の光学系における第１レンズ３１４と第２レンズ３２４との間の距離および第３群の光学系における第１レンズ３１５と第２レンズ３２５との間の距離が変化しないので、第１レンズアレイ部３１１と第２レンズアレイ部３２１との水平方向の位置合わせが容易になる。また、第１群〜第３群の光学系におけるレンズ間距離が、第１レンズアレイホルダ３３１および第２レンズアレイホルダ３３５によって定まる。このため、第１群〜第３群の光学系におけるレンズ間距離を合わせる作業が不要となる。
【００８８】
また、第１レンズアレイ部３１１と第１レンズアレイホルダ３３１および第２レンズアレイホルダ３３５とは、第１レンズアレイホルダ３３１の第１当接部３３３の周辺の領域である第１接着部と第１台座３１６の座面とが接着剤３３３Ａによって接着され、第２レンズアレイホルダ３３５の第２当接部３３７の周辺の領域である第２接着部と第２台座３１７の座面とが接着剤３３７Ａによって接着される。
【００８９】
同様に、第２レンズアレイ部３２１と第１レンズアレイホルダ３３１および第２レンズアレイホルダ３３５とは、第１レンズアレイホルダ３３１の第３当接部３３４の周辺の領域である第３接着部と第３台座３２６の座面とが接着剤３３４Ａによって接着され、第２レンズアレイホルダ３３５の第４当接部３３８の周辺の領域である第４接着部と第４台座３２７の座面とが接着剤３３８Ａによって接着される。
【００９０】
図８は、図７の領域Ｒの断面図である。図８を参照して、第１レンズアレイ部３１１と第２レンズアレイホルダ３３５とは、第２レンズアレイホルダ３３５の本体３３６の上面の第２当接部３３７の周辺の第２接着部で接着剤３３７Ａによって接着される。このため、第２当接部３３７には接着剤３３７Ａは塗布されない。第２レンズアレイホルダ３３５の本体３３６の上面の第２当接部３３７の周辺の第３接着部は、第２当接部３３７が第１レンズアレイ部３１１の第２台座３１７に当接するので、第１レンズアレイ部３１１の第２台座３１７と所定の距離を有する。したがって、接着剤３３７Ａが硬化して形成される接合部が所定の高さとなる。
【００９１】
接着剤３３７Ａは硬化しても所定の弾性を有する素材である。このため、第１レンズアレイ部３１１と第２レンズアレイホルダ３３５との線膨張係数が異なる場合であっても、接着剤３３７Ａが硬化した接合部が弾性変形するので、接着剤３３７Ａが硬化した接合部と、第１レンズアレイ部３１１および第２レンズアレイホルダ３３５とが接着面で剥離しにくくできる。具体的には、接着剤３３７Ａが硬化した接合部と第１レンズアレイ部３１１との接着面、接合部と第２レンズアレイホルダ３３５との接着面それぞれにおいて接着力が失われにくくできる。
【００９２】
第２レンズアレイホルダ３３５は金属材料であり、第１レンズアレイ部３１１はガラス材料であるため線膨張係数が異なる。このため、接着剤３３７Ａが硬化した接合部の高さが小さいと、光学アセンブリで熱歪が発生する。この熱歪を抑制するために、接着剤３３７Ａが硬化した接合部の高さを所定の値以上としている。これにより、接着剤３３７Ａが硬化した接合部で第２レンズアレイホルダ３３５と第１レンズアレイ部３１１との熱膨張差を吸収するとともに、接着剤３３７Ａの硬化収縮力によって第１レンズアレイ部３１１を第２レンズアレイホルダ３３５に加圧した状態で保持される。
【００９３】
第１レンズアレイ部３１１に加わる圧力は、治具ばね３６３および治具ばね３６４の組により付与される圧力と、接着剤３３７Ａが硬化収縮する際の圧力とを含む。これらの圧力による第２押圧部３１９および第２台座３１７の変形を抑えるために第２押圧部３１９および第２台座３１７の厚みは薄い方が好ましい。好ましくは、第２押圧部３１９および第２台座３１７の厚みは１ｍｍ以下が好ましい。なお、第１押圧部３１８および第１台座３１６それぞれの厚み、第３押圧部３２８および第３台座３２６それぞれの厚み、第４押圧部３２９および第４台座３２７それぞれの厚み、についても同様である。
【００９４】
＜第１の変形例＞
図９は、第１の変形例における露光装置の内部を主走査方向から見た図である。主走査方向は、図９において紙面に垂直な方向である。図１０は、図９のＡ−Ａ線断面図である。図１１は、図９のＢ−Ｂ線断面図である。図１０および図１１においては、光源ホルダ２２０が追加される。図９〜図１１を参照して、図４に示した露光装置２１Ｙと異なる点は、第１レンズアレイホルダ３３１および第２レンズアレイホルダ３３５が第１レンズアレイホルダ３３１Ａおよび第２レンズアレイホルダ３３５Ａに変更された点、第３台座３２６および第４台座３２７が削除された点である。その他の部材は、図４に示した光学アセンブリ３００と同じなのでここでは説明は繰り返されない。
【００９５】
第１レンズアレイホルダ３３１Ａは、本体３３２Ａと、本体３３２Ａの上面に配置される第１当接部３３３を備える。本体３３２Ａの底面は、本体３３２Ａの高さが副走査方向の左側が右側より長くなるように傾斜している。この傾斜角度は、第２レンズアレイ部３２１の形成面の法線と、第２レンズ３２３，３２４，３２５の光軸とのなす角により定まる。第１当接部３３３は第１レンズアレイ部３１１の第１台座３１６の座面に当接し、本体３３２Ａはその底面で第２レンズアレイ部３２１の形成面に当接する。
【００９６】
同様に、第２レンズアレイホルダ３３５Ａは、本体３３６Ａと、本体３３６Ａの上面に配置される第２当接部３３７を備える。本体３３６Ａの底面は、本体３３６Ａの高さが副走査方向の左側が右側より長くなるように傾斜している。第２当接部３３７は第１レンズアレイ部３１１の第２台座３１７の座面に当接し、本体３３６Ａはその底面で第２レンズアレイ部３２１の形成面に当接する。
【００９７】
第１の変形例における光学アセンブリ３００において、第１レンズアレイホルダ３３１Ａは本体３３２Ａの底面が傾斜しているので、第２レンズアレイ部３２１を保持する状態において第１レンズアレイホルダ３３１Ａと第２レンズアレイ部３２１との相対位置を容易に定めることができる。同様に、第２レンズアレイホルダ３３５Ａは本体３３６Ａの底面が傾斜しているので、第２レンズアレイ部３２１を保持する状態において第２レンズアレイホルダ３３５Ａと第２レンズアレイ部３２１との相対位置を容易に定めることができる。
【００９８】
第１の変形例における光学アセンブリ３００は、治具により位置決めされた第１レンズアレイホルダ３３１Ａおよび第２レンズアレイホルダ３３５Ａに、第２レンズアレイ部３２１を接着した後に、第１レンズアレイ部３１１が位置決めされる。この状態で、第１レンズアレイ部３１１の第１押圧部３１８および第２押圧部３１９にそれぞれ治具ばね３６１，３６３を当接させて上方から下方に向かう方向の力が付与され、第２レンズアレイ部３２１の第３押圧部３２８および第４押圧部３２９にそれぞれ治具ばね３６２，３６４を当接させて下方から上方に向かう方向の力が付与される。この状態で、第１レンズアレイ部３１１は、第１押圧部３１８および第２押圧部３１９から下方に向かう力を受けるとともに、第１レンズアレイホルダ３３１および第２レンズアレイホルダ３３５それぞれから上方に向かう力を受ける。このため、第１レンズアレイ部３１１は水平方向の力を受けない。
【００９９】
また、第１レンズアレイ部３１１を水平方向に移動させても第１群の第１レンズ３１３と第２レンズ３２３の間の距離、第２群の第１レンズ３１４と第２レンズ３２４の間の距離および第３群の第１レンズ３１５と第２レンズ３２５の間の距離が変化しないので、第１レンズアレイ部３１１と第２レンズアレイ部３２１との水平方向の位置合わせが容易になる。また、第１群の第１レンズ３１３と第２レンズ３２３の間の距離、第２群の第１レンズ３１４と第２レンズ３２４の間の距離および第３群の第１レンズ３１５と第２レンズ３２５の間の距離が、第１レンズアレイホルダ３３１および第２レンズアレイホルダ３３５によって定まる。このため、第１群の第１レンズ３１３と第２レンズ３２３とで構成される光学系、第２群の第１レンズ３１４と第２レンズ３２４とで構成される光学系、および第３群の第１レンズ３１５と第２レンズ３２５とで構成される光学系それぞれのレンズ間距離を合わせる作業が不要となる。
【０１００】
第１レンズアレイ部３１１は、第１レンズアレイホルダ３３１Ａの本体３３２Ａの上面の第１当接部３３３の周辺の領域である第１接着部で接着剤３３３Ａによって接着されるとともに、第２レンズアレイホルダ３３５Ａの本体３３６Ａの上面の第２当接部３３７の周辺の領域である第２接着部で接着剤３３７Ａによって接着される。このため、第１当接部３３３の第１接着部および第２当接部３３７の第２接着部は、第１台座３１６の座面および第２台座３１７の座面と所定の距離を有する。したがって、接着剤３３３Ａ，３３７Ａが硬化して形成される接合部が所定の高さとなる。
【０１０１】
接着剤３３３Ａ，３３７Ａは硬化しても所定の弾性を有する素材である。このため、第１レンズアレイ部３１１が、第１レンズアレイホルダ３３１および第２レンズアレイホルダ３３５それぞれと線膨張係数が異なる場合であっても、接着剤３３３Ａ，３３７Ａが硬化した接合部が弾性変形するので、接着剤３３３Ａが硬化した接合部と第１レンズアレイ部３１１および第２レンズアレイホルダ３３５とが接着面で剥離しにくくできるとともに、接着剤３３７Ａが硬化した接合部と、第１レンズアレイ部３１１および第２レンズアレイホルダ３３５とが接着面で剥離しにくくできる。
【０１０２】
第１レンズアレイホルダ３３１Ａは、底面の主走査方向の両端近傍に第１ホルダ当接部３４５,３４６を含む。第１ホルダ当接部３４５，３４６それぞれは球体である。第１レンズアレイホルダ３３１Ａは、本体３３２Ａの底面で主走査方向の両端近傍に形成された２つの穴に第１ホルダ当接部３４５，３４６がそれぞれ嵌合される。同様に、第２レンズアレイホルダ３３５Ａは、底面の主走査方向の両端近傍に第２ホルダ当接部３４７，３４８を含む。第２ホルダ当接部３４７，３４８それぞれは球体である。
【０１０３】
光源ホルダ２２０の上面には、第１レンズアレイホルダ３３１の第１ホルダ当接部３４５，３４６とそれぞれ当接する一対の第１ホルダ座面２２１が形成されている。また、光源ホルダ２２０の上面には、第２レンズアレイホルダ３３５の第２ホルダ当接部３４７，３４８とそれぞれ当接する一対の第２ホルダ座面２２２が形成されている。一対の第１ホルダ座面２２１および一対の第２ホルダ座面２２２それぞれは、第１レンズ３１３，３１４，３１５および第２レンズ３２３，３２４，３２５の光軸と垂直である。また、第１レンズアレイホルダ３３１の本体３３２の底面および第２レンズアレイホルダ３３５の本体３３６の底面は、第１レンズ３１３，３１４，３１５および第２レンズ３２３，３２４，３２５の光軸と垂直である。
【０１０４】
第１レンズアレイホルダ３３１Ａの本体３３２Ａの底面の第１ホルダ当接部３４５の周辺の領域である第１ホルダ接着部が接着剤３４５Ａによって光源ホルダ２２０の第１ホルダ座面２２１に接着されるとともに、第１レンズアレイホルダ３３１Ａの本体３３２Ａの底面の第１ホルダ当接部３４６の周辺の領域である第１ホルダ接着部が接着剤３４６Ａによって光源ホルダ２２０の第１ホルダ座面２２１に接着される。このため、第１レンズアレイホルダ３３１Ａの本体３３２Ａの底面の第１ホルダ当接部３４５，３４６の周辺の第１ホルダ接着部は、光源ホルダ２２０の一対の第１ホルダ座面２２１とそれぞれ所定の距離を有する。したがって、接着剤３４５Ａ，３４６Ａが硬化して形成される接合部が所定の高さとなる。
【０１０５】
第２レンズアレイホルダ３３５Ａの本体３３６Ａの底面の第２ホルダ当接部３４７の周辺の領域である第２ホルダ接着部が接着剤３４７Ａによって光源ホルダ２２０の第２ホルダ座面２２２に接着されるとともに、第２レンズアレイホルダ３３５Ａの本体３３６Ａの底面の第２ホルダ当接部３４８の周辺の領域である第２ホルダ接着部が接着剤３４８Ａによって光源ホルダ２２０の第２ホルダ座面２２２に接着される。このため、第２レンズアレイホルダ３３５Ａの本体３３６Ａの底面の第２ホルダ当接部３４７，３４８の周辺の第２ホルダ接着部は、光源ホルダ２２０の一対の第２ホルダ座面２２２とそれぞれ所定の距離を有する。したがって、接着剤３４５Ａ，３４６Ａが硬化して形成される接合部が所定の高さとなる。
【０１０６】
接着剤３４５Ａ，３４６Ａ，３４７Ａ，３４８Ａは硬化しても所定の弾性を有する素材である。このため、第１レンズアレイホルダ３３１Ａおよび第２レンズアレイホルダ３３５Ａが、光源ホルダ２２０と線膨張係数が異なる場合であっても、接着剤３４５Ａ，３４６Ａ，３４７Ａ，３４８Ａが硬化した接合部が弾性変形するので、接着剤３４５Ａ，３４６Ａ，３４７Ａ，３４８Ａがそれぞれ硬化した接合部と、第１レンズアレイホルダ３３１Ａと光源ホルダ２２０とが接着面で剥離しにくくできるとともに、第２レンズアレイホルダ３３５Ａと光源ホルダ２２０とが接着面で剥離しにくくできる。
【０１０７】
第１の変形例における露光装置２１Ｙは、光源アセンブリ２００の上に光学アセンブリ３００が位置決めされた状態で、接着剤３４５Ａ，３４６Ａ．３４７Ａ，３４８Ａで接着される。光源ホルダ２２０が第１ホルダ当接部３４５，３４６とそれぞれ当接する一対の第１ホルダ座面２２１および光源ホルダ２２０が第２ホルダ当接部３４７，３４８とそれぞれ当接する一対の第２ホルダ座面２２２は第１レンズ３１３〜３１５および第２レンズ３２３〜３２５それぞれの光軸と垂直である。このため、光学アセンブリ３００が光源アセンブリ２００に向かう方向に力を受け、かつ、光源アセンブリ２００が光学アセンブリ３００に向かう方向に力が加わった状態で、光源アセンブリ２００および光学アセンブリ３００は水平方向の力を受けない。また、光源アセンブリ２００および光学アセンブリ３００が水平方向に相対位置が変化しても、第１群の第１レンズ３１３と第２レンズ３２３とで構成される光学系と第１光源基板２０１との間の距離、第２群の第１レンズ３１４と第２レンズ３２４とで構成される光学系と第２光源基板２０２との間の距離、および第３群の第１レンズ３１５と第２レンズ３２５とで構成される光学系と第３光源基板２０３との間の距離は変化しない。したがって、光学アセンブリ３００と光源アセンブリ２００との水平方向の位置合わせが容易になる。
【０１０８】
また、第１群の第１レンズ３１３と第２レンズ３２３とで構成される光学系と第１光源基板２０１との間の距離、第２群の第１レンズ３１４と第２レンズ３２４とで構成される光学系と第２光源基板２０２との間の距離、および第３群の第１レンズ３１５と第２レンズ３２５とで構成される光学系と第３光源基板２０３との間の距離は、光源ホルダ２２０によって定まる。このため、光学系と光源との間の距離を調整する必要がない。
【０１０９】
また、第１の変形例における露光装置は、第１レンズアレイホルダ３３１Ａおよび第２レンズアレイホルダ３３５Ａにより第２レンズアレイ部３２１との相対位置が決定されるので、第１レンズアレイホルダ３３１Ａおよび第２レンズアレイホルダ３３５Ａに第２レンズアレイ部３２１を接合した後に、第１レンズアレイ部３１１との相対位置を調整すればよいので、位置合わせが容易となる。
【０１１０】
＜第２の変形例＞
図１２は、第２の変形例における露光装置を主走査方向から見た図である。図１３は、図１２のＡ−Ａ線断面図である。図１４は、図１２のＢ−Ｂ線断面図である。第２の変形例における露光装置２１Ｙが、図４に示した露光装置２１Ｙと異なる点は、第１接続ホルダ３５１および第２接続ホルダ３５５が追加された点、光源ホルダ２２０が削除された点である。その他の部材は、図４に示した光学アセンブリ３００と同じなのでここでは説明は繰り返されない。第２の変形例における露光装置２１Ｙは、光学アセンブリ３００と光源アセンブリ２００とを第１接続ホルダ３５１および第２接続ホルダ３５５で接合する。このため、光源ホルダ２２０は不要であるが、光源ホルダ２２０を用いてもよい。
【０１１１】
第１接続ホルダ３５１は、直方体の本体３５２と、本体３５２の上面に配置される第１接続ホルダ当接部３５３と、本体３５２の下面に配置される第３接続ホルダ当接部３５４を備える。第１接続ホルダ当接部３５３は第２レンズアレイ部３２１の第３押圧部３２８の押圧面に当接し、第３接続ホルダ当接部３５４は第１光源基板２０１の上面の第１光源側座面に当接する。第１接続ホルダ当接部３５３の上端と第３接続ホルダ当接部３５４の下端との間の距離は、予め定められている。
【０１１２】
本実施の形態においては、第１接続ホルダ当接部３５３および第３接続ホルダ当接部３５４それぞれは球体である。第１接続ホルダ当接部３５３は、本体３５２の上面に形成された穴に第１接続ホルダ当接部３５３が嵌合され、本体３５２の底面で上面に形成された穴に対応する位置に形成された穴に第３接続ホルダ当接部３５４が嵌合される。したがって、第１接続ホルダ当接部３５３は、第３接続ホルダ当接部３５４が取り付けられる底面の位置に対向する本体３５２の上面の位置に取り付けられる。このため、第１接続ホルダ当接部３５３および第３接続ホルダ当接部３５４それぞれの中心が第１レンズ３１３，３１４，３１５および第２レンズ３２３，３２４，３２５それぞれの光軸と平行な直線を通る位置となるように、第１接続ホルダ３５１と第２レンズアレイ部３２１および第１光源基板２０１との相対位置が定められる。
【０１１３】
第２接続ホルダ３５５は、第１接続ホルダ３５１と同様に、直方体の本体３５６と、本体３５６の上面に配置される第２接続ホルダ当接部３５７と、本体３５６の下面に配置される第４接続ホルダ当接部３５８とを備える。第２接続ホルダ当接部３５７は第２レンズアレイ部３２１の第４押圧部３２９の押圧面に当接し、第４接続ホルダ当接部３５８は第３光源基板２０３の上面の第２光源側座面に当接する。第２接続ホルダ当接部３５７の上端と第４接続ホルダ当接部３５８の下端との間の距離は、予め定められている。
【０１１４】
図１５は、製造途中における第２の変形例における露光装置を主走査方向から見た図である。図１５を参照して、治具ばね３６１，３６２との組と、治具ばね３６３，３６４との組で、露光装置２１Ｙが上下方向から挟むように固定される。
【０１１５】
具体的には、露光装置２１Ｙは、治具により位置決めされた第１接続ホルダ３５１および第２接続ホルダ３５５に、光源アセンブリ２００と光学アセンブリ３００とが位置決めされる。この状態で、第１レンズアレイ部３１１の第１押圧部３１８および第２押圧部３１９にそれぞれ治具ばね３６１，３６３が当接し、上方から下方に向かう方向の力が付与される。また、光学アセンブリ３００の第３光源基板２０３の底面の両端にそれぞれ治具ばね３６２，３６４が当接し、下方から上方に向かう方向の力が付与される。なお、光源アセンブリ２００と光学アセンブリ３００とを同時に組み立ててもよい。
【０１１６】
この状態で、光学アセンブリ３００は、第１レンズアレイ部３１１の第１押圧部３１８および第２押圧部３１９で下方に向かう力を受けるとともに、第２レンズアレイ部３２１の第３押圧部３２８および第４押圧部３２９で第１接続ホルダ３５１および第２接続ホルダ３５５それぞれから上方に向かう力を受ける。また、光源アセンブリ２００は、第３光源基板２０３の底面の両端で上方に向かう力を受け、第１光源基板２０１の上面および第３光源基板２０３の上面で上方向に向かう力を受ける。このため、光学アセンブリ３００および光源アセンブリ２００は水平方向の力を受けない。
【０１１７】
また、光源アセンブリ２００または光学アセンブリ３００を水平方向に移動させても光源アセンブリ２００と光学アセンブリ３００との間の距離が変化しないので、光源アセンブリ２００または光学アセンブリ３００の水平方向の位置合わせが容易になる。また、光源アセンブリ２００と光学アセンブリ３００との間の距離が、第１接続ホルダ３５１および第２接続ホルダ３５５によって定まる。このため、光源アセンブリ２００と光学アセンブリ３００との間の距離を合わせる作業が不要となる。
【０１１８】
また、光学アセンブリ３００と第１接続ホルダ３５１および第２接続ホルダ３５５とは、第１接続ホルダ３５１の第１接続ホルダ当接部３５３の周辺の領域である第１接続ホルダ接着部および第２接続ホルダ３５５の第２接続ホルダ当接部３５７の周辺の領域である第２接続ホルダ接着部で接着剤３５３Ａ，３５７Ａによって接着される。このため、第１接続ホルダ当接部３５３および第２接続ホルダ当接部３５７には接着剤３５３Ａ，３５７Ａは塗布されない。第１接続ホルダ当接部３５３の周辺の第１接続ホルダ接着部と第２レンズアレイ部３２１の第３押圧部３２８とは所定の距離を有し、第２接続ホルダ当接部３５７の周辺の第２接続ホルダ接着部と第２レンズアレイ部３２１の第４押圧部３２９とは所定の距離を有する。したがって、接着剤３５３Ａ，３５７Ａが硬化して形成される接合部が所定の高さとなる。接着剤３５３Ａ，３５７Ａは硬化しても所定の弾性を有する素材である。このため、光学アセンブリ３００の第２レンズアレイ部３２１と第１接続ホルダ３５１および第２接続ホルダ３５５との線膨張係数が異なる場合であっても、接着剤３５３Ａ，３５７Ａが硬化した接合部が弾性変形するので、接着剤３５３Ａ，３５７Ａが硬化した接合部と、第２レンズアレイ部３２１、第１接続ホルダ３５１および第２接続ホルダ３５５とが接着面で剥離しにくくできる。
【０１１９】
同様に、光源アセンブリ２００と第１接続ホルダ３５１および第２接続ホルダ３５５とは、第３接続ホルダ当接部３５４の周辺の領域である第３接続ホルダ接着部および第４接続ホルダ当接部３５８の周辺の領域である第４接続ホルダ接着部で接着剤３５４Ａ，３５８Ａによって接着される。このため、第３接続ホルダ当接部３５４および第４接続ホルダ当接部３５８には接着剤３５４Ａ，３５８Ａは塗布されない。第１接続ホルダ３５１の第３接続ホルダ当接部３５４の周辺の第３接続ホルダ接着部と第１光源基板２０１とは所定の距離を有し、第２接続ホルダ３５５の第４接続ホルダ当接部３５８の周辺の第４接続ホルダ接着部と第３光源基板２０３とは所定の距離を有する。したがって、接着剤３５４Ａ，３５８Ａが硬化して形成される接合部が所定の高さとなる。
【０１２０】
接着剤３５４Ａ，３５８Ａは硬化しても所定の弾性を有する素材である。このため、第１接続ホルダ３５１および第２接続ホルダ３５５と第１光源基板２０１、第２光源基板２０２および第３光源基板の線膨張係数が異なる場合であっても、接着剤３５４Ａ，３５８Ａが硬化した接合部が弾性変形するので、接着剤３５４Ａ，３５８Ａが硬化した接合部と、第１接続ホルダ３５１、第２接続ホルダ３５５、第１光源基板２０１および第３光源基板とが接着面で剥離しにくくできる。
【０１２１】
＜第３の変形例＞
第３の変形例における露光装置２１Ｙは、光源アセンブリを変更したものである。図１６は、第３の変形例における露光装置の一部を主走査方向から見た図である。図１６を参照して、図４に示した露光装置２１Ｙと異なる点は、光源アセンブリ２００が光源アセンブリ２００Ａに変更された点である。その他の部材は図４に示した露光装置２１Ｙと同じなのでここでは説明を繰り返さない。
【０１２２】
光源アセンブリ２００は、光源基板２０５を含む。光源基板２０５は、光軸と平行な方向および光軸と垂直な方向にそれぞれ異なる位置に複数の光源２１０が形成される。光源基板２０５は、複数の光源２１０が形成される光源形成面が、光学アセンブリ３００に対する相対位置が、光学アセンブリ３００の光軸と垂直にならない位置に保持される。
【０１２３】
第３の変形例における光源アセンブリ２００Ａは、第１の変形例または第２の変形例に適用してもよい。
【０１２４】
＜第４の変形例＞
上述した実施の形態における露光装置２１Ｙに、第１の変形例における露光装置２１Ｙが備える第１ホルダ当接部３４５，３４６および第２ホルダ当接部３４７，３４８を適用して、光源アセンブリ２００と光学アセンブリ３００とを結合してもよい。また、第１の変形例における露光装置２１Ｙに、上述した実施の形態における露光装置２１Ｙと同様に、第１ホルダ当接部３４５，３４６および第２ホルダ当接部３４７，３４８を用いることなく、光源アセンブリ２００と光学アセンブリ３００とを結合してもよい。
【０１２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２６】
１００  ＭＦＰ、２１Ｙ，２１Ｍ，２１Ｃ，２１Ｋ  露光装置、２３Ｙ，２３Ｍ，２３Ｃ，２３Ｋ  感光体ドラム、２００，２００Ａ  光源アセンブリ、２０１〜２０３  第１〜第３光源基板、２０５  光源基板、２１０  光源、２１１  回路領域、２２０  光源ホルダ、２２１  第１ホルダ座面、２２２  第２ホルダ座面、３００  光学アセンブリ、３１０  光学系、３１１  第１レンズアレイ部、３１３，３１４，３１５  第１レンズ、３１６  第１台座、３１７  第２台座、３１８  第１押圧部、３１９  第２押圧部、３２１  第２レンズアレイ部、３２３，３２４，３２５  第２レンズ、３２６  第３台座、３２７  第４台座、３２８  第３押圧部、３２９  第４押圧部、３３１  第１レンズアレイホルダ、３３２  本体、３３３  第１当接部、３３４  第３当接部、３３５  第２レンズアレイホルダ、３３６  本体、３３７  第２当接部、３３８  第４当接部、３５１  第１接続ホルダ、３５３  第１接続ホルダ当接部、３５４  第３接続ホルダ当接部、３５５  第２接続ホルダ、３５７  第２接続ホルダ当接部、３５８  第４接続ホルダ当接部、３６１〜３６４  治具ばね。
【図１】
2020183062.tif 000003
【図２】
2020183062.tif 000004
【図３】
2020183062.tif 000005
【図４】
2020183062.tif 000006
【図５】
2020183062.tif 000007
【図６】
2020183062.tif 000008
【図７】
2020183062.tif 000009
【図８】
2020183062.tif 000010
【図９】
2020183062.tif 000011
【図１０】
2020183062.tif 000012
【図１１】
2020183062.tif 000013
【図１２】
2020183062.tif 000014
【図１３】
2020183062.tif 000015
【図１４】
2020183062.tif 000016
【図１５】
2020183062.tif 000017
【図１６】
2020183062.tif 000018